【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
活性光線の照射によって硬化する液体を打滴する複数のノズルが並べられたインクジェットヘッドと、
前記インクジェットヘッドから打滴された液体を付着させる媒体を搬送する媒体搬送手段と、
前記インクジェットヘッドを前記媒体に対して相対移動させる走査手段と、
前記走査手段の走査方向に沿う走査線上の打滴位置をｍ回（ｍは２以上の整数）の走査で打滴を行い、前記媒体搬送手段の搬送方向に沿う走査線上の打滴位置をｎ回（ｎは２以上の整数）の移動で打滴を行うことにより、前記ノズルの配列における前記搬送方向のノズルピッチよりも小さい打滴間隔となる所定の解像度の画像を形成するように、Ｎ回（Ｎ＝ｍ×ｎ）の走査による前記インクジェットヘッドの打滴を制御する打滴制御手段と、
前記Ｎ回の走査を構成する走査ごとに前記媒体搬送手段による前記搬送方向の送り量を制御する搬送制御手段と、
前記走査手段により前記インクジェットヘッドとともに移動し、前記媒体上に付着した
液体を不完全に硬化させる程度の活性光線を照射する仮硬化手段と、
を備え、
前記仮硬化手段は、前記媒体搬送手段の搬送方向の下流側の単位面積あたりの照射エネルギーが上流側の単位面積あたりの照射エネルギーを超える前記搬送方向における照射エネルギーの分布を有し、
前記液体は、成分Ａとしてラジカル重合性化合物、成分Ｂとしてラジカル重合開始剤、及び成分Ｃとして着色剤を含有し、
前記成分Ａは、成分Ａ‐１として単官能ラジカル重合性化合物、及び成分Ａ‐２として多官能ラジカル重合性化合物を含有し、
前記成分Ａ‐１は、成分Ａ‐１‐１としてＮ‐ビニル化合物、及び成分Ａ‐１‐２として次式（Ｉ）で表される化合物を含有し、
前記成分Ａ‐１の含有量は、前記成分Ａの総重量に対し５０重量パーセント以上９０重量パーセント以下であり、
前記成分Ａ‐１‐１の含有量は、前記成分Ａ‐１の総重量に対し１０重量パーセント以上４０重量パーセント以下であり、
前記成分Ａ‐１‐２の含有量は、前記成分Ａ‐１の総重量に対し５重量パーセント以上９０重量パーセント以下であり、
前記成分Ａ‐２は、次式（ＩＩ）で表される化合物を少なくとも２種含有するとともに、前記成分Ａ‐２の含有量は、前記成分Ａの総重量に対して０．１重量パーセント以上２５重量パーセント以下である画像形成装置。
【化１】
2013154508.tif 000001
（式（Ｉ）中、Ｒ１、Ｒ２及びＲ３はそれぞれ独立に、水素原子、メチル基、又は、エチル基を表し、Ｘ１は単結合、又は、二価の連結基を表す。）
【化２】
2013154508.tif 000002
（式（ＩＩ）中、Ｒ１１はそれぞれ独立に水素原子、又は置換されていてもよい炭素数１〜６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０から５の整数を表す。）
【請求項２】
前記仮硬化手段は、照射エネルギーの分布における単位面積あたりの照射エネルギーの最大値に対する、単位面積あたりの照射エネルギーの最小値の比率が、１．３以上３．３以下である請求項１に記載の画像形成装置。
【請求項３】
前記仮硬化手段は、前記搬送方向について二分割された活性光線の出射部を有し、前記搬送方向の下流側の出射部の単位面積あたりの照射エネルギーは、前記搬送方向上流側の出射部の単位面積あたりの照射エネルギーを超える請求項１又は２に記載の画像形成装置。
【請求項４】
前記仮硬化手段は、箱型形状であり、前記媒体と対向する底板に活性光線の出射部を有し、
前記箱型形状の内部に向けて活性光線を発生させる発光素子が前記搬送方向の両端面の少なくともいずれか一方に配設され、活性光線を前記出射部へ導く内部構造を有する請求項１から３のいずれか１項に記載の画像形成装置。
【請求項５】
前記走査手段により前記インクジェットヘッド及び前記仮硬化手段とともに移動し、前記媒体上に付着した液体を完全に硬化させる程度の活性光線を照射する本硬化手段を備えた請求項１から４のいずれか１項に記載の画像形成装置。
【請求項６】
前記液体は、前記成分Ａ‐１‐１がＮ‐ビニルカプロラクタムである請求項１から５のいずれか１項に記載の画像形成装置。
【請求項７】
前記液体の成分Ａ‐１は、成分Ａ‐１‐３として芳香族炭化水素環を有する（メタ）アクリレート化合物を含有し、
前記成分Ａ‐１‐３は、成分Ａ‐１の総重量に対し５重量パーセント以上４０重量パーセント以下である請求項１から６のいずれか１項に記載の画像形成装置。
【請求項８】
前記液体の成分Ｂは、成分Ｂ‐１としてモノアシルホスフィンオキサイド化合物、及び／又は成分Ｂ‐２としてビスアシルホスフィンオキサイド化合物、並びに成分Ｂ‐３としてチオキサントン化合物を含有する請求項１から７のいずれか１項に記載の画像形成装置。
【請求項９】
前記液体は、前記式（ＩＩ）で表される化合物の少なくとも１つがトリメチロールプロパントリアクリレートであり、その含有量が前記成分Ａの総重量に対し０．５重量パーセント以上８重量パーセント以下である請求項１から８のいずれか１項に記載の画像形成装置。
【請求項１０】
前記液体の成分Ｂは、前記成分Ｂ‐１を含有し、その含有量がインク組成物全重量に対し３重量％以下である請求項１から９のいずれか１項に記載の画像形成装置。
【請求項１１】
前記液体の成分Ａ‐２は、次式（ＩＩ’）で表される化合物を少なくとも１種含有する請求項１から１０のいずれか１項に記載の画像形成装置。
【化３】
2013154508.tif 000003
（式（ＩＩ’）中、Ｒ１１は水素原子、又は置換されていてもよい炭素数１から６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０〜５の整数を表し、ｐ＋ｑ＋ｒ≧１の関係を満たす。）
【請求項１２】
活性光線の照射によって硬化する液体を打滴する複数のノズルが並べられたインクジェットヘッドを走査方向へｍ回（ｍは２以上の整数）走査させて、前記走査方向の走査線上の打滴位置へ打滴を行い、前記液体を付着させる媒体の搬送方向の走査線上の打滴位置をｎ回（ｎは２以上の整数）の移動で打滴を行うことにより、前記ノズルの配列における前記搬送方向のノズルピッチよりも小さい打滴間隔となる所定の解像度の画像を形成するように、Ｎ回（Ｎ＝ｍ×ｎ）の走査により前記インクジェットヘッドから液体を打滴する打滴工程と、
前記インクジェットヘッドとともに移動する仮硬化手段から、前記打滴された液体を不完全に硬化させる程度の活性光線を照射する仮硬化工程と、
を含み、
前記打滴工程は、前記Ｎ回の走査を構成する走査ごとに前記媒体の前記搬送方向の送り量が制御され、
前記仮硬化工程において照射される活性光線は、前記搬送方向下流側の単位面積あたりの照射エネルギーが、上流側の単位面積あたりの照射エネルギーを超える前記搬送方向における照射エネルギーの分布を有し、
前記液体は、成分Ａとしてラジカル重合性化合物、成分Ｂとしてラジカル重合開始剤、及び成分Ｃとして着色剤を含有し、
前記成分Ａは、成分Ａ‐１として単官能ラジカル重合性化合物、及び成分Ａ‐２として多官能ラジカル重合性化合物を含有し、
前記成分Ａ‐１は、成分Ａ‐１‐１としてＮ‐ビニル化合物、及び成分Ａ‐１‐２として次式（Ｉ）で表される化合物を含有し、
前記成分Ａ‐１の含有量は、前記成分Ａの総重量に対し５０重量パーセント以上９０重量パーセント以下であり、
前記成分Ａ‐１‐１の含有量は、前記成分Ａ‐１の総重量に対し１０重量パーセント以上４０重量パーセント以下であり、
前記成分Ａ‐１‐２の含有量は、前記成分Ａ‐１の総重量に対し５重量パーセント以上９０重量パーセント以下であり、
前記成分Ａ‐２は、次式（ＩＩ）で表される化合物を少なくとも２種含有するとともに、前記成分Ａ‐２の含有量は、前記成分Ａの総重量に対して０．１重量パーセント以上２５重量パーセント以下である画像形成方法。
【化１】
2013154508.tif 000004
（式（Ｉ）中、Ｒ１、Ｒ２及びＲ３はそれぞれ独立に、水素原子、メチル基、又は、エチル基を表し、Ｘ１は単結合、又は、二価の連結基を表す。）
【化２】
2013154508.tif 000005
（式（ＩＩ）中、Ｒ１１はそれぞれ独立に水素原子、又は置換されていてもよい炭素数１〜６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０から５の整数を表す。）
【手続補正２】
【補正対象書類名】明細書
【補正対象項目名】０３４１
【補正方法】変更
【補正の内容】
【０３４１】
（第１態様）：活性光線の照射によって硬化する液体を打滴する複数のノズルが並べられたインクジェットヘッドと、前記インクジェットヘッドから打滴された液体を付着させる媒体を搬送する媒体搬送手段と、前記インクジェットヘッドを前記媒体に対して相対移動させる走査手段と、前記走査手段の走査方向に沿う走査線上の打滴位置をｍ回（ｍは２以上の整数）の走査で打滴を行い、前記媒体搬送手段の搬送方向に沿う走査線上の打滴位置をｎ回（ｎは２以上の整数）の移動で打滴を行うことにより、前記ノズルの配列における前記搬送方向のノズルピッチよりも小さい打滴間隔となる所定の解像度の画像を形成するように、Ｎ回（Ｎ＝ｍ×ｎ）の走査による前記インクジェットヘッドの打滴を制御する打滴制御手段と、前記Ｎ回の走査を構成する走査ごとに前記媒体搬送手段による前記搬送方向の送り量を制御する搬送制御手段と、前記走査手段により前記インクジェットヘッドとともに移動し、前記媒体上に付着した液体を不完全に硬化させる程度の活性光線を照射する仮硬化手段と、を備え、前記仮硬化手段は、前記媒体搬送手段の搬送方向の下流側の単位面積あたりの照射エネルギーが上流側の単位面積あたりの照射エネルギーを超える前記搬送方向における照射エネルギーの分布を有し、前記液体は、成分Ａとしてラジカル重合性化合物、成分Ｂとしてラジカル重合開始剤、及び成分Ｃとして着色剤を含有し、前記成分Ａは、成分Ａ‐１として単官能ラジカル重合性化合物、及び成分Ａ‐２として多官能ラジカル重合性化合物を含有し、前記成分Ａ‐１は、成分Ａ‐１‐１としてＮ‐ビニル化合物、及び成分Ａ‐１‐２として次式（Ｉ）で表される化合物を含有し、前記成分Ａ‐１の含有量は、前記成分Ａの総重量に対し５０重量パーセント以上９０重量パーセント以下であり、前記成分Ａ‐１‐１の含有量は、前記成分Ａ‐１の総重量に対し１０重量パーセント以上４０重量パーセント以下であり、前記成分Ａ‐１‐２の含有量は、前記成分Ａ‐１の総重量に対し５重量パーセント以上９０重量パーセント以下であり、前記成分Ａ‐２は、次式（ＩＩ）で表される化合物を少なくとも２種含有するとともに、前記成分Ａ‐２の含有量は、前記成分Ａの総重量に対して０．１重量パーセント以上２５重量パーセント以下である画像形成装置。
【手続補正３】
【補正対象書類名】明細書
【補正対象項目名】０３４７
【補正方法】変更
【補正の内容】
【０３４７】
（第４態様）：前記仮硬化手段は、箱型形状であり、前記媒体と対向する底板に活性光線の出射部を有し、前記箱型形状の内部に向けて活性光線を発生させる発光素子が前記搬送方向の両端面の少なくともいずれか一方に配設され、活性光線を前記出射部へ導く内部構造を有する画像形成装置。
【手続補正４】
【補正対象書類名】明細書
【補正対象項目名】０３５９
【補正方法】変更
【補正の内容】
【０３５９】
（式（ＩＩ’）中、Ｒ１１は水素原子、又は置換されていてもよい炭素数１から６のアルキル基を表し、Ｒ１２は水素原子、又は置換されていてもよい炭素数１から６のアルキル基を表し、Ｒ１３はそれぞれ独立に水素原子、又はメチル基を表し、Ｘ２は単結合、又は二価の連結基を表し、ｐ、ｑ及びｒはそれぞれ独立に０〜５の整数を表し、ｐ＋ｑ＋ｒ≧１の関係を満たす。）
（第１２態様）：活性光線の照射によって硬化する液体を打滴する複数のノズルが並べられたインクジェットヘッドを走査方向へｍ回（ｍは２以上の整数）走査させて、前記走査方向の走査線上の打滴位置へ打滴を行い、前記液体を付着させる媒体の搬送方向の走査線上の打滴位置をｎ回（ｎは２以上の整数）の移動で打滴を行うことにより、前記ノズルの配列における前記搬送方向のノズルピッチよりも小さい打滴間隔となる所定の解像度の画像を形成するように、Ｎ回（Ｎ＝ｍ×ｎ）の走査により前記インクジェットヘッドから液体を打滴する打滴工程と、前記インクジェットヘッドとともに移動する仮硬化手段から、前記打滴された液体を不完全に硬化させる程度の活性光線を照射する仮硬化工程と、を含み、前記打滴工程は、前記Ｎ回の走査を構成する走査ごとに前記媒体の前記搬送方向の送り量が制御され、前記仮硬化工程において照射される活性光線は、前記搬送方向下流側の単位面積あたりの照射エネルギーが、上流側の単位面積あたりの照射エネルギーを超える前記搬送方向における照射エネルギーの分布を有し、前記液体は、成分Ａとしてラジカル重合性化合物、成分Ｂとしてラジカル重合開始剤、及び成分Ｃとして着色剤を含有し、前記成分Ａは、成分Ａ‐１として単官能ラジカル重合性化合物、及び成分Ａ‐２として多官能ラジカル重合性化合物を含有し、前記成分Ａ‐１は、成分Ａ‐１‐１としてＮ‐ビニル化合物、及び成分Ａ‐１‐２として次式（Ｉ）で表される化合物を含有し、前記成分Ａ‐１の含有量は、前記成分Ａの総重量に対し５０重量パーセント以上９０重量パーセント以下であり、前記成分Ａ‐１‐１の含有量は、前記成分Ａ‐１の総重量に対し１０重量パーセント以上４０重量パーセント以下であり、前記成分Ａ‐１‐２の含有量は、前記成分Ａ‐１の総重量に対し５重量パーセント以上９０重量パーセント以下であり、前記成分Ａ‐２は、次式（ＩＩ）で表される化合物を少なくとも２種含有するとともに、前記成分Ａ‐２の含有量は、前記成分Ａの総重量に対して０．１重量パーセント以上２５重量パーセント以下である画像形成方法。